(57)【特許請求の範囲】
【請求項１】
マイクロフォンに着脱自在に装着して使用するマイクロフォン用カバーであって、上面が開口したお椀型のカバー本体の底面中央部に、マイクロフォンの把持部の最大径と同じかやや小さい径を有するマイクロフォン挿通用穴を備えると共に、前記開口の径が、マイクロフォンのマイク部の最大径よりも大きく、前記カバー本体の内面に、マイクロフォンのマイク部を保持するための保持部を備え、前記保持部は、カバー本体の内面からマイクロフォン挿通用穴まで延びると共に、側面を、マイク部を受け止めて着座させる湾曲面とする薄板状の保持用片で構成され、前記保持用片をマイクロフォン挿通用穴の周方向に等間隔に三つ以上配置してあることを特徴とするマイクロフォン用カバー。
【請求項２】
マイクロフォン挿通用穴の周縁部に、弾性部材を配置してあることを特徴とする請求項１に記載のマイクロフォン用カバー。
【請求項３】
マイクロフォン挿通用穴の周縁部に、複数のスリットを設けてあることを特徴とする請求項１又は２に記載のマイクロフォン用カバー。
【発明の詳細な説明】
【技術分野】
【０００１】
本発明は、自分が発する声を明瞭に聞き取りながら発話や歌唱を行うことができると共に、唾液の飛散を効果的に防止することができるマイクロフォン用カバーに関する。
【背景技術】
【０００２】
マイクロフォン（以下、マイクとする。）は、発話者や歌唱者が発した音の振動を電気信号に変換するための装置である。マイクを使用して発話や歌唱を行う際、特に、街中やカラオケ店など、周囲が騒然とした場所では、発話者や歌唱者が自分の声を明瞭に聞き取りながら話したり、歌ったりすることは通常困難なことである。また、たとえ自宅などの静寂な場所で、例えばマイクを使用して歌唱の練習をする場合などでも、自分自身の声の状態を自分で明瞭に認識することは、ボイスレコーダーなどを利用して録音したものを聞く場合などを除いて困難なものである。
このような問題に対して、自分の歌声を自分自身で明瞭に聞き取ることができる従来技術として、例えば、下記特許文献１がある。
【先行技術文献】
【特許文献】
【０００３】
【特許文献１】特開２０１０−２４３９９３号公報
【発明の概要】
【発明が解決しようとする課題】
【０００４】
上記特許文献１は、歌唱練習用器具に関する発明で、カラオケ歌唱などの練習をする際にマイクを使わず歌う場合に、自分自身の歌声を明瞭に聞き取ることができるというメリットがある。
しかしながら、上記特許文献１に示す技術は、あくまでマイクを使わない場合に使用するものであり、マイクを使用する場合に自分が発する声を明瞭に聞き取りながら発話や歌唱を行うことができるものではないという問題が依然としてあった。
【０００５】
そこで、本発明は上記従来における問題点を解決し、マイクを使用して発話や歌唱を行う場合に、自分が発する声を明瞭に聞き取りながら発話や歌唱を行うことができると共に、唾液の飛散を効果的に防止することができるマイクロフォン用カバーの提供を課題とする。
【課題を解決するための手段】
【０００６】
上記課題を達成するため、本発明のマイクロフォン用カバーは、マイクロフォンに着脱自在に装着して使用するマイクロフォン用カバーであって、上面が開口したお椀型のカバー本体の底面中央部に、マイクロフォンの把持部の最大径と同じかやや小さい径を有するマイクロフォン挿通用穴を備えると共に、前記開口の径が、マイクロフォンのマイク部の最大径よりも大きく、前記カバー本体の内面に、マイクロフォンのマイク部を保持するための保持部を備え、前記保持部は、カバー本体の内面からマイクロフォン挿通用穴まで延びると共に、側面を、マイク部を受け止めて着座させる湾曲面とする薄板状の保持用片で構成され、前記保持用片をマイクロフォン挿通用穴の周方向に等間隔に三つ以上配置してあることを第１の特徴としている。
また、本発明のマイクロフォン用カバーは、上記第１の特徴に加えて、マイクロフォン挿通用穴の周縁部に、弾性部材を配置してあることを第２の特徴としている。
また、本発明のマイクロフォン用カバーは、上記第１又は第２の特徴に加えて、マイクロフォン挿通用穴の周縁部に、複数のスリットを設けてあることを第３の特徴としている。
【発明の効果】
【０００７】
上記第１の特徴によるマイクロフォン用カバーによれば、マイクロフォン挿通用穴にマイクロフォンを挿通させるだけで、容易且つ迅速にマイクロフォンにマイクロフォン用カバーを装着することができる。また、上面が開口したお椀型をなすと共に、開口の径がマイクロフォンのマイク部の最大径よりも大きい構成とすることで、発話者や歌唱者が発した音を発話者側や歌唱者側に確実に反響させることができる。よって、マイクを使用して発話や歌唱を行う場合に、自分が発する声を明瞭に聞き取りながら発話や歌唱を行うことができる。加えて、唾液の飛散を効果的に防止することができる。
【０００８】
また、使用時にマイク部を確実に保持することができ、マイクロフォン用カバーがずれ動くことを一段と防止することができる。
【０００９】
また、簡易な構成で保持部を形成することができると共に、保持部の軽量化を図ることができる。
【００１０】
また、上記第２の特徴によるマイクロフォン用カバーによれば、上記第１の特徴による作用効果に加えて、把持部をより挿通させ易いと共に、挿通させた把持部をより確実に保持することができ、使用時にマイクロフォン用カバーがずれ動くことを効果的に防止することができる。
【００１１】
また、上記第３の特徴によるマイクロフォン用カバーによれば、上記第１又は第２の特徴による作用効果に加えて、把持部を一段と挿通させ易いマイクロフォン用カバーとすることができる。
【図面の簡単な説明】
【００１２】
【図１】本発明の実施形態に係るマイクロフォン用カバーの使用状態を示す図である。
【図２】本発明の実施形態に係るマイクロフォン用カバーを示す図で、（ａ）はマイクロフォンに装着した状態を示す斜視図、（ｂ）はマイクロフォンに装着する前の状態を示す斜視図である。
【図３】本発明の実施形態に係るマイクロフォン用カバーを示す図で、（ａ）は平面図、（ｂ）は底面図である。
【図４】本発明の実施形態に係るマイクロフォン用カバーを示す図で、（ａ）はマイクロフォンに装着する状態を示す側面図、（ｂ）はマイクロフォンに装着した状態を示す側面図である。
【図５】本発明の実施形態に係るマイクロフォン用カバーの変形例を示す図で、（ａ）は変形例１に係るマイクロフォン用カバーを示す側面図、（ｂ）は変形例２に係るマイクロフォン用カバーを示す平面図である。
【発明を実施するための形態】
【００１３】
以下、各図面を参照して、本発明の実施形態に係るマイクロフォン用カバーを説明し、本発明の理解に供する。しかし、以下の説明は特許請求の範囲に記載の本発明を限定するものではない。
【００１４】
まず、図１〜図４を参照して、本発明の実施形態に係るマイクロフォン用カバー１を説明する。
【００１５】
図１を参照して、本発明の実施形態に係るマイクロフォン用カバー１は、マイクロフォン３０に着脱自在に装着して使用するものである。
このマイクロフォン用カバー１は、図１、図２に示すように、カバー本体１０と、保持部２０とから構成される。
【００１６】
前記カバー本体１０は、マイクロフォン用カバー１の骨格を構成するもので、本実施形態においては図１、図２に示すように、上面が開口した平面視円形のお椀型の部材で構成されている。
また、図２（ｂ）に示すように、カバー本体１０の底面１４の中央部には、マイクロフォン３０の把持部３２の最大径と同じかやや小さい径を有する円形のマイクロフォン挿通用穴１１を設けてある。なお、ここで「やや小さい」とは、マイクロフォン３０の把持部３２の最大径よりも１ｍｍ〜２ｍｍ程度小さいことを意味するものである。
本実施形態においては、マイクロフォン３０の把持部３２の最大径と同じ径を有する円形のマイクロフォン挿通用穴１１を設けてある。
なお、マイクロフォン挿通用穴１１の形状は、円形に限るものではなく、適宜変更可能である。
【００１７】
また、図２（ｂ）に示すように、マイクロフォン挿通用穴１１の周辺部には、複数のスリット１１ａを設けてある。具体的には、マイクロフォン挿通用穴１１の中心から放射状に直線状のスリットを複数（本実施形態においては、１８個）設けてある。なお、スリット１１ａの長さは、３ｍｍ〜５ｍｍ程度とすることが望ましい。勿論、スリットの数や形状は本実施形態のものに限るものではなく、適宜変更可能である。このスリットは、汎用されている裁断機を用いて形成することができる。
【００１８】
また、図１〜図３に示すように、開口の周縁部には、マイクロフォン挿通用穴１１に挿通されるマイクロフォン３０の把持部３２の軸線と直交する方向に向けて、開口から外方へ延びる第１の開口部平坦面１２を備えている。なお、第１の開口部平坦面の長さ（幅）は、７ｍｍ〜８ｍｍ程度とすることが望ましい。
更に、開口から下方に数ミリ程度の位置に、マイクロフォン挿通用穴１１に挿通されるマイクロフォン３０の把持部３２の軸線と直交する方向に向けて、開口から内方へ延びる第２の開口部平坦面１３を備えている。なお、ここで「開口から下方に数ミリ程度」とは、８ｍｍ〜１ｃｍ程度を意味するものである。なお、第２の開口部平坦面の長さ（幅）は、２ｍｍ〜３ｍｍ程度とすることが望ましい。
【００１９】
本実施形態においては、このような構成からなるカバー本体１０を、天然植物繊維を主材料とする紙を用いて、型にてスリット１１ａ以外を一体形成し、その後、裁断機を用いてスリット１１ａを形成する構成としてある。
なお、天然植物繊維としては、例えば、さとうきび繊維を用いることができる。
また、カバー本体１０の厚みは、２ｍｍ〜３ｍｍ程度とすることが望ましい。更に、カバー本体１０の重さは、８グラム〜１５グラム程度とすることが望ましい。
【００２０】
前記保持部２０は、マイクロフォン用カバー１をマイクロフォン３０に装着した際に、マイク部３１を保持するためのものである。
本実施形態においては図１〜図３に示すように、保持部２０として、カバー本体１０の内面からマイクロフォン挿通用穴１１まで延びると共に、側面を、マイク部３１を受け止めて着座させる湾曲面２１とする薄板状の保持用片を用いる構成としてある。
より具体的には、保持部２０として、カバー本体１０の内面からマイクロフォン挿通用穴１１まで延びると共に、側面を、カバー本体１０の外方に向けて凹んだ湾曲面２１とする薄板状の保持用片を用いる構成としてある。なお、保持用片の上面２２の開口の径方向の長さは、２５ｍｍ〜２８ｍｍ程度とすることが望ましい。また、湾曲面２１の曲率半径は、マイク部３１の曲率半径と同程度とすることが望ましい。更に、保持用片の厚みは、２ｍｍ〜３ｍｍ程度とすることが望ましい。
また、本実施形態においては、このような保持用片を、マイクロフォン挿通用穴１１の周方向に等間隔に三つ配置する構成としてある。勿論、保持用片の数や配置位置は本実施形態のものに限るものではなく、マイク部３１をしっかりと保持できる構成であれば、適宜変更可能である。
また、本実施形態においては、図３（ａ）に示す、三つの湾曲面２１の頂部を通る円の直径Ｅの長さをマイク部３１の最大径よりも長い構成とすることで、図１、図２（ａ）、図４（ｂ）に示すように、マイクロフォン３１にマイクロフォン用カバー１を装着した状態において、マイク部３１がマイクロフォン用カバー１の内部に収容される構成としてある。
なお、三つの保持用片は、例えば、カバー本体１０を形成する天然植物繊維を主材料とする紙を用いて形成することができる。本実施形態においては、カバー本体１０と同一部材を用いて三つの保持用片を形成すると共に、カバー本体１０と一体成形する構成としてある。勿論、このような構成に限るものではなく、カバー本体１０と別部材で形成し、接着剤などを介してカバー本体１０に固定させるような構成としてもよい。
【００２１】
なお、図３（ｂ）に示す開口の直径Ｆは、１２７ｍｍ〜１２８ｍｍ程度とすることが望ましい。また、第１の開口部平坦面１２の外周で構成される円の直径Ｇは、１３４ｍｍ〜１３６ｍｍ程度とすることが望ましい。
【００２２】
次に、図４を参照して、本発明の実施形態に係るマイクロフォン用カバー１のマイクロフォン３０への装着方法を説明する。
図４（ａ）を参照して、マイクロフォン３０の下方に、開口をマイクロフォン３０側に向けた状態でマイクロフォン用カバー１を配置する。
そして、その状態で把持部３２の下端をマイクロフォン挿通用穴１１に挿通させ、把持部３２を下方にスライドさせる。
そして、把持部３２が容易にスライドしない状態（把持部３２の最大径の位置がマイクロフォン挿通用穴１１に達した状態）となったところで、マイクロフォン３０の下方への移動を停止する。
これにより、図４（ｂ）に示すように、マイクロフォン３０へのマイクロフォン用カバー１の装着が完了する。
なお、把持部３２の形状が、図４（ａ）に示す把持部３２の形状のように、マイク部３１側が最大径となる構成ではなく、全て同じ径（太さ）であった場合には、できる限り把持部３２を下方にスライドさせて、マイク部３１の側でマイクロフォン用カバー１を装着させることが必要である。
【００２３】
このような構成からなる本発明の実施形態に係るマイクロフォン用カバー１は、以下の効果を奏する。
【００２４】
カバー本体１０の底面１４の中央部に、マイクロフォン３０の把持部３２の最大径と同じ径を有する円形のマイクロフォン挿通用穴１１を備える構成とすることで、本実施形態における把持部３２は図４（ａ）に示すように、把持部３２におけるマイク部３１側が最大径となる構成であることから、マイクロフォン挿通用穴１１に把持部３２の下端を挿通させてマイクロフォン３０を下方にスライド（或いはマイクロフォン用カバー１を上方にスライド）させるだけで、容易且つ迅速にマイクロフォン３０にマイクロフォン用カバー１を装着することができる。よって、装着容易なマイクロフォン用カバー１とすることができる。加えて、マイクロフォン用カバー１をマイクロフォン３０から取り外す際においても、マイクロフォン３０或いはマイクロフォン用カバー１をスライドさせるだけで取り外すことができ、取り外し容易なマイクロフォン用カバー１とすることができる。
【００２５】
また、上面が開口したお椀型をなすと共に、開口の径がマイクロフォン３０のマイク部３１の最大径よりも大きい構成とすることで、発話者や歌唱者が発した音を発話者側や歌唱者側に確実に反響させることができる。よって、マイクを使用して発話や歌唱を行う場合に、自分が発する声を明瞭に聞き取りながら発話や歌唱を行うことができる。このような効果は、自分の声の状態を確認しながら歌うことができることで、メロディーに一段と乗りながら楽しく歌うことができるようになる点において、カラオケで歌唱する場合に特に有効な効果である。また、周囲が騒然した街頭などで選挙演説を行う立候補者などが使用する場合にも有効な効果である。
更に、カバー本体１０を、平面視円形のお椀型とすることで、発話者や歌唱者が発した音を発話者側や歌唱者側に均一に反響させ易くすることができる。よって、自分が発する声を一段と明瞭に聞き取りながら発話や歌唱を行うことができる。
加えて、発話や歌唱に伴う唾液の飛散を効果的に防止することができることで、ウイルス感染を防止することができ、衛生面においても極めて有用なマイクロフォン用カバー１とすることができる。
【００２６】
また、カバー本体１０を、天然植物繊維を主材料とする紙で形成することで、軽量化を図ることができると共に、生分解可能な製品とすることができる。また、たとえ１回毎の使い捨てとした場合でも、環境への負荷が少ない製品とすることができる。
【００２７】
また、マイクロフォン挿通用穴１１の周縁部に、複数のスリット１１ａを設ける構成とすることで、挿通用穴１１の周縁部を容易に広げることが可能となり、把持部３２を一段と挿通させ易いマイクロフォン用カバー１とすることができる。
【００２８】
また、開口の周縁部に、マイクロフォン挿通用穴１１に挿通される把持部３２の軸線と直交する方向に向けて、開口から外方へ延びる第１の開口部平坦面１２を設ける構成とすることで、発話者や歌唱者がマイクロフォン用カバー１を装着した状態でマイクロフォン３０を使用する場合に、マイクロフォン用カバー１の自分に対する角度や向きを容易に確認することができる。よって、自分の声をより効率的、効果的に反響させるためのマイクロフォン用カバー１の向きや角度を使用中に即座に視覚で把握することができ、一段と利便性の高いマイクロフォン用カバー１とすることができる。
更に、マイクロフォン用カバー１を持ち運ぶ際に指で挟む挟持部とすることができ、片手でも持ちやすいマイクロフォン用カバー１とすることができる。
【００２９】
また、カバー本体１０の開口から下方に数ミリ程度の位置に、マイクロフォン挿通用穴１１に挿通されるマイクロフォン３０の把持部３２の軸線と直交する方向に向けて、開口から内方へ延びる第２の開口部平坦面１３を設ける構成とすることで、カバー本体１０の開口から下方に数ミリ程度の位置に、段差を形成することができる。よって、マイクロフォン用カバー１を持ち運ぶ際に、人差し指を第１の開口部平坦面１２の下面に当て、親指を第２の開口部平坦面１３に上方から押し当てるだけで、片手で容易に且つ滑りを防止した状態でマイクロフォン用カバー１を持ち運ぶことができる。つまり、親指を載置させるための着座面として第２の開口部平坦面１３を利用することができる。よって、一段と片手でもち運びがし易く利便性の高いマイクロフォン用カバー１とすることができる。
【００３０】
また、保持部２０を設ける構成とすることで、使用時にマイク部３１を確実に保持することができ、マイクロフォン用カバー１がずれ動くことを一段と防止することができる。よって、一段と利便性の高いマイクロフォン用カバー１とすることができる。
また、保持部２０として、カバー本体１０の内面からマイクロフォン挿通用穴１１まで延びると共に、側面を、マイク部３１を受け止めて着座させる湾曲面２１とする薄板状の保持用片で構成すると共に、このような保持用片を、マイクロフォン挿通用穴１１の周方向に等間隔に三つ配置する構成とすることで、マイク部３１を三つの湾曲面２１に確実に着座させてマイクロフォン用カバー１がずれ動くことを確実に防止することができる。更に、保持用片の厚さを２ｍｍ〜３ｍｍ程度とすると共に、カバー本体１０と同一部材の天然植物繊維を主材料とする紙を用いてカバー本体１０と一体成形する構成とすることで、簡易な構成で保持部２０を形成することができると共に、保持部２０の軽量化、省コスト化を図ることができる。
更に、三つの湾曲面２１の頂部を通る円の直径Ｅの長さをマイク部３１の最大径よりも長い構成とすることで、図１、図２（ａ）、図４（ｂ）に示すように、マイクロフォン３０にマイクロフォン用カバー１を装着した状態において、マイク部３１がマイクロフォン用カバー１の内部に収容される構成とすることができる。よって、使用時にマイクロフォン３０が周囲の雑音を拾い難い構成とすることができる。加えて、マイクロフォン３０を口元に近づけ易いマイクロフォン用カバー１とすることができ、唾液の飛沫をより効果的に防止可能なマイクロフォン用カバー１とすることができる。
【００３１】
次に、図５を参照して、本発明の実施形態に係るマイクロフォン用カバーの変形例１、２を説明する。
【００３２】
まず、図５（ａ）を参照して、本発明の実施形態に係るマイクロフォン用カバーの変形例１を説明する。
本変形例１に係るマイクロフォン用カバー２は、既述したマイクロフォン用カバー１に対して、三つの湾曲面２１の頂部を通る円の直径の長さを変形したものである。その他の構成は既述した本発明の実施形態に係るマイクロフォン用カバー１と同様である。よって、同一部材、同一機能を果たすものには同一番号を付し、以下詳細な説明は省略するものとする。
具体的には、三つの湾曲面２１の頂部を通る円の直径の長さをマイク部３１の最大径よりも短い構成としてある。このような構成とすることで、マイク部３１をマイクロフォン用カバー１から出した状態でマイクフォンカバー２をマイクロフォン３０に装着することができる。このような構成とすることで、マイク部３１をより確認し易い状態で使用可能なマイクロフォン用カバー２とすることができる。
【００３３】
次に図５（ｂ）を参照して、本発明の実施形態に係るマイクロフォン用カバーの変形例２を説明する。
本変形例２に係るマイクロフォン用カバー３は、既述したマイクロフォン用カバー１に対して、マイクロフォン挿通用穴１１の周縁部に、弾性部材４０を配置すると共に、マイクロフォン挿通用穴１１の径を、マイクロフォンの把持部の最大径よりもやや小さい径とする構成とするものである。その他の構成は既述した本発明の実施形態に係るマイクロフォン用カバー１と同様である。よって、同一部材、同一機能を果たすものには同一番号を付し、以下詳細な説明は省略するものとする。
具体的には、マイクロフォン挿通用穴１１の周縁部に、図５（ｂ）にハッチングで示すフェルトを配置する構成としてある。また、マイクロフォン挿通用穴１１の径を、マイクロフォンの把持部の最大径よりもやや小さい径とする構成とするものである。このような構成とすることで、フェルトは弾性力を備えるものであることから、マイクロフォン挿通用穴１１の径が、マイクロフォンの把持部の最大径よりもやや小さい径であっても、マイクロフォンの把持部をマイクロフォン挿通用穴１１に挿通させる際に、マイクロフォン挿通用穴１１の周縁部を効果的に広げることができる。よって、把持部をより挿通させ易いマイクロフォン用カバー３とすることができる。
更に、把持部を挿通させた後のマイクロフォン用カバー３の使用時においては、一端下方外向きへ広がったフェルトの復帰力により把持部３２を押圧してより確実に保持することができる。よって、使用時にマイクロフォン用カバー３がずれることを一段と効果的に防止することができ、一段と利便性に富んだマイクロフォン用カバー３とすることができる。
なお、弾性部材としては、フェルトに限るものではなく、例えば、薄いゴムを用いる構成としてもよい。
なお、弾性部材４０は、例えば、接着剤を介してカバー本体１０に貼り付けて固定するような構成とすることができる。
【００３４】
なお、既述した本発明の実施形態に係るマイクロフォン用カバー１、２、３においては、カバー本体１０を、天然植物繊維を主材料とする紙を用いて形成する構成としたが、必ずしもこのような構成に限るものではない。例えば、天然植物繊維以外のものを主材料とする紙でカバー本体１０を形成する構成としてもよい。また、紙に替えて、発泡スチロール、プラスチックなどの樹脂、金属などの他の素材でカバー本体１０を形成する構成としてもよい。つまり、上面が開口したお椀型で、且つ、底面中央部に、マイクロフォンの把持部の最大径と同じかやや小さい径を有するマイクロフォン挿通用穴１１を形成することが可能な素材であれば、如何なる素材を用いてもよい。なお、発泡スチロールやプラスチックなどの樹脂を用いてカバー本体１０を形成する構成とした場合は、軽くて耐水性を備えたマイクロフォン用カバーとすることができる。
また、保持部２０を形成する保持用片についても、天然植物繊維以外のものを主材料とする紙で保持用片を形成する構成としてもよいし、紙に替えて、発泡スチロール、プラスチックなどの樹脂、金属などの他の素材で保持用片を形成する構成としてもよい。なお、コスト面や製造効率を勘案すれば、カバー本体１０と同一部材で保持用片を形成する構成とすることが望ましい。
【００３５】
また、既述した本発明の実施形態に係るマイクロフォン用カバー１、２、３は、全て保持部２０を備える構成としたが、保持部２０は必ずしも必要なものではなく、保持部２０を設けない構成としてもよい。また、同様に、スリット１１ａ、第１の開口部平坦面１２、第２の開口部平坦面１３も必ずしも必要なものではなく、スリット１１ａ、第１の開口部平坦面１２、第２の開口部平坦面１３を設けない構成としてもよい。このような構成も本発明に含まれるものである。
【００３６】
また、カバー本体１０の表面に、図形や模様、文字や着色を施すような構成としてもよい。このような構成とすることで、例えば、広告宣伝機能を備えたマイクロフォン用カバーとすることができる。更に、デザイン性に富むと共に、使用時に楽しみながら利用可能なマイクロフォン用カバーとすることができる。また、カバー本体１０に発光塗料等を塗布すれば、うす暗いカラオケ店内においても視認性に優れたマイクロフォン用カバーとすることができる。
【産業上の利用可能性】
【００３７】
本発明によれば、マイクを使用して発話や歌唱を行う場合に、自分が発する声を明瞭に聞き取りながら発話や歌唱を行うことができると共に、唾液の飛散を効果的に防止することができることから、マイクロフォン用カバーの分野における産業上の利用性が高い。
【符号の説明】
【００３８】
１            マイクロフォン用カバー
２            マイクロフォン用カバー
３            マイクロフォン用カバー
１０          カバー本体
１１          マイクロフォン挿通用穴
１１ａ        スリット
１２          第１の開口部平坦面
１３          第２の開口部平坦面
１４          底面
２０          保持部
２１          湾曲面
２２          上面
３０          マイクロフォン
３１          マイク部
３２          把持部
４０          弾性部材
Ｅ            直径
Ｆ            直径
Ｇ            直径
【要約】
【課題】マイクを使用して発話や歌唱を行う場合に、自分が発する声を明瞭に聞き取りながら発話や歌唱を行うことができると共に、唾液の飛散を効果的に防止することができるマイクロフォン用カバーの提供を課題とする。
【解決手段】マイクロフォン３０に着脱自在に装着して使用するマイクロフォン用カバー１であって、上面が開口したお椀型のカバー本体１０の底面中央部に、マイクロフォン３０の把持部３２の最大径と同じかやや小さい径を有するマイクロフォン挿通用穴１１を備えると共に、開口の径が、マイクロフォン３０のマイク部３１の最大径よりも大きいマイクロフォン用カバーである。
【選択図】      図２【図１】
0006842141.tif 000002
【図２】
0006842141.tif 000003
【図３】
0006842141.tif 000004
【図４】
0006842141.tif 000005
【図５】
0006842141.tif 000006